(57)【要約】【課題】  モニター用の映像表示部を備えた撮像装置において、不使用状態において映像表示部が邪魔になったり、目障りなったりするのを防止する。【解決手段】  撮像装置１は、撮像装置本体部２の上面２ａにモニター用の映像表示部６を回動可能に取り付けて上記映像表示部６を上記撮像装置本体部２の上面２ａ側に倒伏させた状態と，上記撮像装置本体部２の上面２ａに対して所定の仰角で起立させた状態に変位可能になっている。撮像装置本体部２の上面２ａに、上記倒伏させた映像表示部６を収納する第１の凹部２１を設けると共に、映像表示部６には、上記第１の凹部２１に収納した状態において上記映像表示部２の上面２ａと略面一に連続する凹部覆い面６ａを設けた。【選択図】  図１
2006337882.tif 000002
【特許請求の範囲】
【請求項１】
撮像装置本体部の上面にモニター用の映像表示部を回動可能に取り付けて上記映像表示部を上記撮像装置本体部の上面側に倒伏させた状態と上記撮像装置本体部の上面に対して所定の仰角で起立させた状態に変位可能にした撮像装置において、
上記撮像装置本体部は、上面に上記倒伏させた映像表示部を収納する第１の凹部を備え、
上記映像表示部は、上記第１の凹部に収納した状態において上記撮像装置本体部の上面と略面一に連続する凹部覆い面を備えていることを特徴とする撮像装置。
【請求項２】
上記撮像装置本体部の上面と上記凹部覆い面は、同じ曲率の円弧面に形成されていることを特徴とする請求項１に記載の撮像装置。
【請求項３】
上記撮像装置本体部は、上面に上記第１の凹部に連続する第２の凹部を備え、該第２の凹部内には第１の軸部によって上記撮像装置本体部の光軸方向に回動可能に映像表示部支持体が組み付けられていて、該映像表示部支持体に上記映像表示部を取り付け、上記第２の凹部内で上記映像表示部支持体を回動させることにより上記映像表示部は、上記第１の凹部内に収納された倒伏状態から上記第２の凹部内から抜け出て上記撮像装置本体部の上面よりも突出することを特徴とする請求項１に記載の撮像装置。
【請求項４】
上記映像表示部は、幅方向の中央部を第２の軸部を介して上記映像表示部支持部材に回動可能に取り付けられていて、上記撮像装置本体部の上面よりも突出させた状態において、上記第２の軸部を中心にして略３６０°回動可能になっていることを特徴とする請求項１に記載の撮像装置。
【請求項５】
上記第２の軸部は、上記撮像装置本体部の光軸上に配置されていることを特徴とする請求項１に記載の撮像装置。
【発明の詳細な説明】
【技術分野】
【０００１】
本発明は、デジタルスチルカメラ（ＤＳＣ）やデジタルビデオカメラ（ＤＶＣ）等の撮像装置、特に、液晶パネル（ＬＣＤ）や有機ルミネッセンス（有機ＥＬ）等の映像表示部を備えた撮像装置に関するものである。
【背景技術】
【０００２】
ＤＳＣやＤＶＣ等の撮像装置には、映像表示部を備えたものがある。上記映像表示部は、撮影を行う際にはビューファインダーとして使用され、また撮影後は映像を確認したり鑑賞したりするためのモニターとして使用される。
【０００３】
従来の撮像装置においては、図１４に示すように、撮像装置本体部１０１の側面に液晶等の映像表示部１０２が起伏可能に設けられているのが一般的であるが、図１５に示すように、撮像装置本体部１０１の上面に映像表示部１０２を設けた所謂上面配置型のものも開発されている。上記従来の上面配置型の撮像装置において、撮像装置本体部１０１の上面にターンテーブル１０３の中心部が軸１０４によって回動可能に取り付けられている。上記ターンテーブル１０３の外周部には映像表示部１０２が一対の軸１０５，１０６によって、起伏回動可能に取り付けられている。そして、上記映像表示部１０２を起立させた状態で上記ターンテーブル１０３を回転させることにより上記映像表示部１０２の画面の向きを変えることができるようになっている。（例えば特許文献１）
【特許文献１】特開昭６２−３６９８５号公報（第７頁左下欄第１７行〜第７頁右下欄第４行、図１１等）
【発明の開示】
【発明が解決しようとする課題】
【０００４】
ところで、上記従来の撮像装置本体部１０１の上面にターンテーブル１０３を取り付け、該ターンテーブル１０３の上に更に映像表示部１０２を取り付ける構成の撮像装置には、次に述べるような問題点があった。
（１）撮像装置本体部１０１の上面からターンテーブル１０３および映像表示部１０２が突出した状態になっているために、これらターンテーブル１０３や映像表示部１０２が邪魔になったり、目障りになる。
（２）上記映像表示部１０２を起立させて、ターンテーブル１０３を回転させた状態にすると、図１６に示すように、上記撮像装置本体部１０１の光軸Ｌ上にある上記ターンテーブル１０３の軸１０４の位置から映像表示部１０２が大きくずれてしまう。
【０００５】
本発明の目的は、不使用状態において映像表示部が邪魔になったり、目障りなるのを防止することのできる映像表示部に提供することにある。
【０００６】
また、本発明の他の目的は、映像表示部を如何なる向きにした場合でも撮像装置本体部の光軸から映像表示部が大きくずれるのを抑制することのできる映像表示部に提供することにある。
【課題を解決するための手段】
【０００７】
本発明は、撮像装置本体部の上面にモニター用の映像表示部を回動可能に取り付けて上記映像表示部を上記撮像装置本体部の上面側に倒伏させた状態と上記撮像装置本体部の上面に対して所定の仰角で起立させた状態に変位可能にした撮像装置において、上記撮像装置本体部の上面に、上記倒伏させた映像表示部を収納する第１の凹部を設けると共に、上記映像表示部には、上記第１の凹部に収納した状態において上記撮像装置本体部の上面と略面一に連続する凹部覆い面を設けた。
【０００８】
上記撮像装置本体部の上面に、上記第１の凹部に連続する第２の凹部を設け、該第２の凹部内に第１の軸部によって上記撮像装置本体部の光軸方向に回動可能に映像表示部支持体を組み付け、該映像表示部支持体に上記映像表示部を取り付け、上記第２の凹部内で上記映像表示部支持体を回動させることにより上記映像表示部を、上記第１の凹部内に収納された倒伏状態から上記第２の凹部内から抜け出して上記撮像装置本体部の上面よりも突出させた。
【０００９】
上記映像表示部の幅方向の中央部を、第２の軸部を介して上記映像表示部支持部材に回動可能に取り付け、上記映像表示部を、上記撮像装置本体部の上面よりも突出させた状態において、上記第２の軸部を中心にして略３６０°回動可能にした。上記第２の軸部を、上記撮像装置本体部の光軸上に配置した。
【発明の効果】
【００１０】
不使用時には映像表示部を倒して上記第１の凹部に収納することにより上記映像表示部が撮像装置本体部の上面から突出して邪魔になったり、目障りになるのを防止することができる。特に、映像表示部を上記第１の凹部に収納した状態において、上記撮像装置本体部の上面と上記映像表示部の凹部覆い面とが略面一になり、これら面が自然な形で連続するので外観的にも優れたものになる。
【００１１】
また、上記第１の凹部に連続する第２の凹部内で映像表示部支持体を回動させ上記映像表示部を起伏させる構成にしたので、上記映像表示部支持体が上記撮像装置本体部の上面から突出して撮像装置の外観等を損なうのを防止することができる。そして、上記映像表示部を撮像装置本体部の上面から突出させた状態で上記第２の軸部を中心に上記映像表示部を略３６０°回動させることができる。特に、上記第２の軸部を、上記撮像装置本体部の光軸上に配置したので、上記映像表示部を上記第２の軸部を中心に如何なる角度回動させた場合でも、上記映像表示部の上記撮像装置本体部の光軸からのずれを最小限に抑えることができる。
【発明を実施するための最良の形態】
【００１２】
図１は映像表示部を収納した状態の撮像装置の斜視図、図２は映像表示部を起立させた状態の撮像装置の斜視図、図３は図１の平面図、図４は図２の平面図である。図１、図２に示すように、撮像装置１は、撮像装置本体部２と、該撮像装置本体部２の前面側に設けられたレンズ鏡筒３と、上記撮像装置本体部２の後面側（背面側）に設けられたビューファインダー４と、上記撮像装置本体部２の一側面に設けられたグリップ部５と、上記撮像装置本体部２の上面側に設けられた映像表示部６とフラッシュ部７を備えている。
【００１３】
上記撮像装置本体部２の内部にはＣＣＤやその他の各種電子部品を備えていると共に外面には各種の操作ボタン１１等が配置されている。上記レンズ鏡筒３内には対物レンズ１２等の各種のレンズが配置されている。上記グリップ部５の内部の内部にはバッテリーが収納されていると共に上面側にはシャッタ釦１３等が配置されている。上記映像表示部６は、上記撮像装置本体部２の光軸１４方向の一側部に配置した映像表示部支持体１５を介して上記撮像装置本体部２に回動可能に取り付けられている。
【００１４】
上記撮像装置本体部２の上面２ａは、略円弧面状に形成されていて、該上面２ａ側には、上記映像表示部６を収納する第１の凹部２１と、上記映像表示部支持体１５を収納する第２の凹部２２と、上記フラッシュ部７を収納する第３の凹部２３と、が設けられている。上記第１の凹部２１の底面２１ａは、次に説明する映像表示部６の凹部覆い面６ａおよび表示面６ｂと略同じ曲率の円弧状面に形成されている。
【００１５】
図２に示すように、上記映像表示部６は、扁平な樽型形状に形成されていて、上述したように一側面側が上記第１の凹部２１の開口部を塞ぐ円弧面上の凹部覆い面６ａになっていると共に他面側も円弧面状の表示面６ｂになっている。
【００１６】
上記表示面６ｂは、四角形状の枠状に形成されていて、該枠の内側に上記表示面６ｂに対して凹み方向の段差を持たせた状態で液晶等の映像表示面６ｃが配置されている。
【００１７】
上記第２の凹部２２内には上記映像表示部６を起伏回動可能に上記撮像装置本体部２に組み付けるための映像表示部支持体１５が収納されている。
【００１８】
図３、図５に示すように、上記映像表示部支持体１５は、一対の第１の軸部３１、３１によって光軸１４方向に回動可能に上記第２の凹部２２内に組み付けられている。上記映像表示部支持体１５は、図５に実線で示す状態から上記第１の軸部３１、３１を中心にして矢印Ａ方向に回動して、図５に２点鎖線で示すように上記映像表示部６を上記第１の凹部２１内から抜き出して、上記撮像装置本体部２の上面２ａから突出させる。また、図５に２点鎖線で示す状態から上記第１の軸部３１、３１を中心にして矢印Ｂ方向に回動して、図５に実線で示すように上記映像表示部６を上記第１の凹部２１内に収納する。
【００１９】
図３に示すように、上記映像表示部６は、幅Ｗ方向の中央部が第２の軸部３２を介して上記映像表示部支持部材１５に回動可能に取り付けられている。そして、図２に示すように、上記映像表示部６は、上記撮像装置本体部２の上面よりも突出させた状態において、上記第２の軸部３２を中心にして矢印Ｃ方向または矢印Ｄ方向の略３６０°回動可能になっている。上記第２の軸部３２は、上記撮像装置本体部２の光軸１４上に配置されている。なお、上記フラッシュ部７は、上記映像表示部６と同様に上記撮像装置本体部２に対して起伏可能になっていて、不使用時には図２に実線で示すように上記第３の凹部２３内に収納され、使用時には図２に２点鎖線で示すように、起立した状態になって発光ランプ３５が露出し、被写体を照射する。
【００２０】
次に、上記撮像装置１の作用および効果について説明する。上記映像表示部６を使用しない場合には、図１に示すように、上記表示面６ｂ側を下にして上記第１の凹部２１の底面２１ａに重ね合わせた状態で上記映像表示部６を上記第１の凹部２１内に収納すると、上記映像表示部６の一側面側の円弧面状の凹部覆い面６ａで上記第１の凹部２１の開口部が塞がれた状態になる。上記第１の凹部２１の底面に重ね合わされた上記映像表示部６の上記表示面６ｂは、外周部の枠部が上記第１の凹部２１の底面２１ａに接触し、液晶等の映像表示面６ｃを上記第１の凹部２１の底面２１ａから離間させた状態（浮き上がらせた状態）に保持するので、上記液晶等の映像表示面６ｃが保護される。上記映像表示部６は、上記第１の軸部３１において発生する摩擦抵抗等により上記第１の凹部２１内に収納された状態に維持される。
【００２１】
上記映像表示部６を使用する場合には、図１に２点鎖線で示すように、上記映像表示部６の両側部を指先で挟んで持ち上げる。上記映像表示部６を持ち上げると、その力は上記第２の軸部３２を介して上記映像表示部支持部材１５に伝達され、該映像表示部支持部材１５は、上記第１の軸部３１を中心にして、図７に示すように、最大略１２０°程度回動する。
【００２２】
上記映像表示部６を、所定の角度以上に起立させた状態、例えば直角に起立させた状態にすると、図８に示すように、上記映像表示部６は、上記第１の凹部２１から抜け出て、上記第２の軸部３２を中心に３６０°回動させることが可能になる。従って、図４に示す上記映像表示部６が光軸１４に対して直交する状態から上記映像表示部６を時計方向或いは反時計方向に略４５°回動させると、図９に実線または２点鎖線で示すように、上記映像表示部６は、光軸１４に対して略４５°に傾斜した状態になる。また、図４に示す上記映像表示部６が光軸１４に対して直交する状態から上記映像表示部６を時計方向或いは反時計方向に略９０°回動させると、図１０に示すように、上記映像表示部６は、光軸１４に対して平行になって左右真横を向いた状態になる。また、図４に示す上記映像表示部６が光軸１４に対して直交する状態から上記映像表示部６を時計方向或いは反時計方向に略１８０°回動させると、図１１、図１２に示すように、上記映像表示部６の映像表示面６ｃは、真後ろを向いた状態になる。
【００２３】
図１２に示す状態から上記映像表示部６を矢印Ｂ方向に倒すと、図１３に示すように、上記映像表示部６は、映像表示面６ｃが真上になった状態で上記第１の凹部２１内に収納される。このように、実施例の撮像装置においては、撮影時のカメラアングルに応じて上記映像表示部６を任意の方向に向けて撮影が可能になる。なお、任意の方向に向けられた上記映像表示部６は、上記第１の軸部３１や第２の軸部３２において発生する摩擦抵抗等により上記任意の位置に保持される。
また、上記第２の軸部３２を上記撮像装置本体部２の光軸上に配置したので、上記映像表示部６を上記第２の軸部３２を中心に如何なる角度回動させた場合でも、上記映像表示部６の上記撮像装置本体部２の光軸１４からのずれを最小限に抑えることができる。なお、上記実施例ではデジタルスチルカメラを例にとって説明したが本発明の撮像装置は、デジタルスチルカメラに限らずデジタルビデオカメラ等の映像表示部を備えた撮像装置に適用される。
【図面の簡単な説明】
【００２４】
【図１】映像表示部を収納した状態の斜視図。
【図２】映像表示部を起立させた状態の斜視図。
【図３】図１の平面図。
【図４】図２の平面図。
【図５】映像表示部支持部材の説明図。
【図６】映像表示部を収納した状態の斜視図。
【図７】映像表示部を最大限回動させた状態の斜視図。
【図８】映像表示部を略直角に起立させた状態の斜視図。
【図９】第２の軸により映像表示部を４５°回動させた状態の平面図。
【図１０】第２の軸により映像表示部を９０°回動させた状態の平面図。
【図１１】第２の軸により映像表示部を１８０°回動させた状態の平面図。
【図１２】第２の軸により映像表示部を１８０°回動させた状態の側面図。
【図１３】映像表示部を倒して第１の凹部に収納した状態の斜視図。
【図１４】従来例の斜視図。
【図１５】他の従来例の斜視図。
【図１６】従来例の問題点を示す斜視図。
【符号の説明】
【００２５】
１…撮像装置、２…撮像装置本体部、２ａ…撮像装置本体部の上面、６…映像表示部、６ａ…凹部覆い面、６ｂ…表示面、１５…映像表示部支持体、２１…第１の凹部、２２…第２の凹部、３１…第１の軸部、３２…第２の軸部。
【図１】
2006337882.tif 000003
【図２】
2006337882.tif 000004
【図３】
2006337882.tif 000005
【図４】
2006337882.tif 000006
【図５】
2006337882.tif 000007
【図６】
2006337882.tif 000008
【図７】
2006337882.tif 000009
【図８】
2006337882.tif 000010
【図９】
2006337882.tif 000011
【図１０】
2006337882.tif 000012
【図１１】
2006337882.tif 000013
【図１２】
2006337882.tif 000014
【図１３】
2006337882.tif 000015
【図１４】
2006337882.tif 000016
【図１５】
2006337882.tif 000017
【図１６】
2006337882.tif 000018